(57)【要約】【課題】導線対を撚り合わせた外周に金属箔貼付プラスチックテープ等を配置した遮蔽対撚り型通信ケーブルにおいて、送受信する信号の周波数が２５０ＭＨｚ以上の場合においても、良好な特性を維持することができるようにする。【解決手段】絶縁体１により被覆された少なくとも１対以上の導線対２と、導線対２の外周側に長手方向を軸方向に沿わせて配置された（縦添えされた）金属箔貼付プラスチックテープ３と、金属箔貼付プラスチックテープ３の金属箔４上に形成された接着剤層５と、最外周を覆い接着剤層５により金属箔４が内周面に接着されたシース６とを備えた。【選択図】図１
2008300249.tif 000002
【特許請求の範囲】
【請求項１】
信号伝送に使用される遮蔽付の対撚り型通信ケーブルであって、
絶縁体により被覆された少なくとも１対以上の導線対と、
前記導線対の外周側に、長手方向を軸方向に沿わせて配置された金属箔貼付プラスチックテープと、
前記金属箔貼付プラスチックテープの金属箔上に形成された接着剤層と、
最外周を覆い、前記接着剤層により、前記金属箔が内周面に接着されたシースと
を備えたことを特徴とする対撚り型通信ケーブル。
【請求項２】
前記接着剤層は、前記金属箔貼付プラスチックテープの金属箔上に間欠的に形成されており、前記金属箔の全表面積に対する前記接着剤層が形成されていない領域の面積の比率を間欠率としたとき、この間欠率は、１％乃至９９％であって、
前記シースと前記金属箔貼付プラスチックテープとの間に、ドレインワイヤが設けられている
ことを特徴とする請求項１記載の対撚り型通信ケーブル。
【請求項３】
前記金属箔貼付プラスチックテープの金属箔は、アルミ箔である
ことを特徴とする請求項１、または、請求項２記載の対撚り型通信ケーブル。
【請求項４】
前記金属箔貼付プラスチックテープの金属箔は、銅箔である
ことを特徴とする請求項１、または、請求項２記載の対撚り型通信ケーブル。
【発明の詳細な説明】
【技術分野】
【０００１】
本発明は、高速の信号伝送に使用される遮蔽付の対撚り型通信ケーブルに関する。
【背景技術】
【０００２】
図６は、従来の遮蔽対撚り型通信ケーブルの構成を示す側面図である。
【０００３】
従来の遮蔽対撚り型通信ケーブルは、図６に示すように、絶縁体１０１によって被覆された所望の導線対１０２を撚り合わせ、これら導線対１０２の外周にアルミ箔貼付プラスチックテープ１０３を重ね巻きし、さらに、このアルミ箔貼付プラスチックテープ１０３の外周をシース１０４によって覆って構成されている。また、アルミ箔貼付プラスチックテープ１０３とシース１０４との間には、ドレインワイヤ１０５が設けられている。
【０００４】
また、特許文献１には、対撚り線の周囲に金属ラミネートテープを設け、この金属ラミネートテープの外周にドレインワイヤを配置し、これら金属ラミネートテープ及びドレインワイヤの外周に、さらに、金属ラミネートテープを設けた対撚り型通信ケーブルが記載されている。
【０００５】
このような対撚り型通信ケーブルにおいては、送受信する信号の周波数が２００ＭＨｚ程度までであれば、問題なく使用することができる。
【０００６】
また、特許文献２には、異形介在軸の周囲に、絶縁体によって被覆された複数の導線対を配置し、この異形介在軸によって各導線対の動きを拘束した状態で、シースによって覆って構成した対撚り型通信ケーブルが記載されている。
【０００７】
【特許文献１】特公平６−２２０８３号公報
【特許文献２】特開平１１−２８３４４９公報
【発明の開示】
【発明が解決しようとする課題】
【０００８】
ところで、前述したような従来の遮蔽対撚り型通信ケーブルにおいては、送受信する信号の周波数が２５０ＭＨｚ以上となった場合には、以下のような問題が生ずる。
【０００９】
すなわち、従来の遮蔽対撚り型通信ケーブルにおいては、使用周波数が高くなることによるクロストークなどを低減させるため、導線対のピッチや各導線対のピッチ比などを改善して性能を向上させている。しかし、遮蔽型の通信ケーブルにおいては、アルミ箔などの金属箔が貼付されたプラスチックテープを重ね巻きしているため、このプラスチックテープの巻付けピッチの周期性により、特定周波数での反射が生ずるという問題があった。
【００１０】
また、このような通信ケーブルにおいて、アルミ箔貼付プラスチックテープを縦添え、すなわち、長手方向を軸方向に沿わせて配置するする構成も考えられる。しかし、この場合、アルミ箔貼付プラスチックテープを確実に固定することができず、通信ケーブルを動かしたときに、特性が変動してしまうという問題があった。
【００１１】
そこで、本発明は、前述の実情に鑑みて提案されるものであって、送受信する信号の周波数が２５０ＭＨｚ以上の場合においても、良好な特性を維持することができる対撚り型通信ケーブルを提供することを目的とする。
【課題を解決するための手段】
【００１２】
本発明に係る対撚り型通信ケーブルは、以下の構成のいずれか一を有するものである。
【００１３】
〔構成１〕
信号伝送に使用される遮蔽付の対撚り型通信ケーブルであって、絶縁体により被覆された少なくとも１対以上の導線対と、導線対の外周側に長手方向を軸方向に沿わせて配置された（縦添えされた）金属箔貼付プラスチックテープと、金属箔貼付プラスチックテープの金属箔上に形成された接着剤層と、最外周を覆い接着剤層により金属箔が内周面に接着されたシースとを備えたことを特徴とするものである。
【００１４】
〔構成２〕
構成１を有する対撚り型通信ケーブルにおいて、接着剤層は、金属箔貼付プラスチックテープの金属箔上に間欠的に形成されており、金属箔の全表面積に対する接着剤層が形成されていない領域の面積の比率を間欠率としたとき、この間欠率は、１％乃至９９％であって、シースと金属箔貼付プラスチックテープとの間にドレインワイヤが設けられていることを特徴とするものである。
【００１５】
〔構成３〕
構成１、または、構成２を有する対撚り型通信ケーブルにおいて、金属箔貼付プラスチックテープの金属箔は、アルミ箔であることを特徴とするものである。
【００１６】
〔構成４〕
構成１、または、構成２を有する対撚り型通信ケーブルにおいて、金属箔貼付プラスチックテープの金属箔は、銅箔であることを特徴とするものである。
【発明の効果】
【００１７】
構成１を有する本発明に係る対撚り型通信ケーブルにおいては、導線対の外周側に配置された金属箔貼付プラスチックテープは、長手方向を軸方向に沿わせて（縦添えされて）おり、金属箔上に形成された接着剤層により、最外周を覆うシースの内周面に接着されているので、金属箔貼付プラスチックテープの巻付けピッチの周期性に応じた特定周波数で反射が生ずることが回避され、かつ、金属箔貼付プラスチックテープが確実に固定されるので、２５０ＭＨｚ以上の高い周波数で使用しても、安定、かつ、良好な伝送特性、良好な特性インピーダンスを実現することができる。
【００１８】
構成２を有する本発明に係る対撚り型通信ケーブルにおいては、接着剤層は、金属箔貼付プラスチックテープの金属箔上に間欠的に形成されており、シースと金属箔貼付プラスチックテープとの間にドレインワイヤが設けられているので、金属箔貼付プラスチックテープの金属箔とドレインワイヤとが導通されることにより、２５０ＭＨｚ以上の高い周波数で使用しても、良好な特性インピーダンスを実現することができる。
【００１９】
構成３を有する本発明に係る対撚り型通信ケーブルにおいては、金属箔貼付プラスチックテープの金属箔は、アルミ箔であるので、２５０ＭＨｚ以上の高い周波数で使用しても、良好な伝送特性、良好な特性インピーダンスを実現することができる。
【００２０】
構成４を有する本発明に係る対撚り型通信ケーブルにおいては、金属箔貼付プラスチックテープの金属箔は、銅箔であるので、２５０ＭＨｚ以上の高い周波数で使用しても、良好な伝送特性、良好な特性インピーダンスを実現することができる。
【００２１】
すなわち、本発明は、送受信する信号の周波数が２５０ＭＨｚ以上の場合においても、良好な特性を維持することができる対撚り型通信ケーブルを提供することができるものである。
【発明を実施するための最良の形態】
【００２２】
以下、本発明を実施するための最良の形態について図面を参照して説明する。
【００２３】
図１は、本発明に係る対撚り型通信ケーブルの構成を示す側面図である。
【００２４】
本発明に係る対撚り型通信ケーブルにおいては、図１に示すように、絶縁体１によって被覆された所望の導線対２が撚り合わせられている。これら導線対２の外周側には、長手方向をケーブルの軸方向に沿わせて、すなわち、縦添えされて、金属箔貼付プラスチックテープ３が配置されている。この金属箔貼付プラスチックテープ３における金属箔は、例えば、アルミニウム箔や銅箔などである。
【００２５】
そして、この対撚り型通信ケーブルの最外周は、シース６によって覆われている。このシース６は、耐摩耗性や耐熱性が良好な高分子化合物材料によって形成されている。このシース６の内周面には、金属箔貼付プラスチックテープ３の金属箔上に形成された接着剤層により、金属箔貼付プラスチックテープ３の金属箔が接着されている。また、金属箔貼付プラスチックテープ３とシース６との間には、ドレインワイヤ７が設けられている。このドレインワイヤ７は、長手方向をケーブルの軸方向に沿わせて、すなわち、縦添えされている。
【００２６】
図２は、本発明に係る対撚り型通信ケーブルの金属箔貼付プラスチックテープの構成を示す平面図である。
【００２７】
金属箔貼付プラスチックテープ３においては、図２に示すように、金属箔４上に、接着剤層５が間欠的に縞状に形成されている。金属箔４の全表面積に対する接着剤層５が形成されていない領域の面積の比率を間欠率としたとき、この間欠率は、１％乃至９９％となっている。なお、接着剤層５をなす材質は、シース６をなす材料に応じて、適宜選定することができる。
【００２８】
なお、金属箔貼付プラスチックテープ３の金属箔４とシース６との接着は、シース６の押出成型時の熱、あるいは、ホットジェット等による加熱により、十分に接着させることが可能である。金属箔４とシース６とが接着されることにより、金属箔貼付プラスチックテープ３は、シース６内において、確実に固定される。
【００２９】
そして、ドレインワイヤ７は、接着剤層５が間欠的に形成されているため、金属箔４の接着剤層５が形成されていない領域において、金属箔４に電気的に接触（導通）している。したがって、このドレインワイヤ７は、十分な遮蔽としての性能を発揮する。
【００３０】
図３は、本発明に係る対撚り型通信ケーブルの金属箔貼付プラスチックテープの構成の他の例を示す平面図である。
【００３１】
金属箔貼付プラスチックテープ３において、接着剤層５は、図３に示すように、金属箔４上に間欠的に島状に形成してもよい。
【００３２】
〔実施例〕
本発明の実施例として、以下のように、対撚り型通信ケーブルを作成した。導線として、外径０．６５ｍｍの軟銅線を用い、絶縁体としてポリエチレンを使用し、この絶縁体の外径を１．４ｍｍとした。導線は、４対を撚り合わせた。金属箔貼付プラスチックテープとして、厚さ３０μｍのアルミ箔を貼り付けた６５μｍ厚のアルミ箔貼付プラスチックテープを用いた。接着剤層は、厚さ３０μｍのアイオノマー樹脂とし、間欠率は約５０％とした。アルミ箔は、シース側に形成されている。ドレインワイヤは、２０本／０．１８ｍｍの錫めっき軟銅より線とし、シースは、厚さ０．５ｍｍ、外径１０ｍｍのノンハロゲン難燃ポリエチレンにより形成した。
【００３３】
図４は、本発明に係る対撚り型通信ケーブルの特性インピーダンス周波数特性を示すグラフである。
【００３４】
図５は、従来の対撚り型通信ケーブルの特性インピーダンス周波数特性を示すグラフである。
【００３５】
本発明に係る対撚り型通信ケーブルの特性インピーダンス周波数特性は、測定長を１００ｍとして各導線対の測定結果を重ねて示すと、図４に示すように、良好なものとなっている。すなわち、金属箔貼付プラスチックテープを重ね巻き構造とした従来の対撚り型通信ケーブルでは、図５に示すように、テープ巻きの周期性に起因する反射により、特性インピーダンス波形に乱れが生じているが、本発明に係る対撚り型通信ケーブルでは、図４に示すように、特性インピーダンス波形にこのような乱れがない。
【００３６】
〔他の実施例〕
本発明に係る対撚り型通信ケーブルは、前述した実施例における材料に限らず、種々の材料を使用することができる。例えぱ、導線及びドレインワイヤについては、軟銅線のみならず、錫めっき軟銅線、銀めっき軟銅線、銅合金線（めっき含む）などが考えられる。また、絶縁体、シースをなす材料としては、ポリエチレンのみならず、架橋ポリエチレン、ポリプロピレン、フッ素樹脂、その他種々の高分子材料を使用することができる。さらに、金属箔貼付プラスチックテープにおける金属箔は、アルミニウム箔や銅箔の他にも、錫や銀のめっき銅箔であっても、前述と同様の効果を得ることができる。また、各導線対間には、必要に応じて、介在軸を挿入してもよい。
【図面の簡単な説明】
【００３７】
【図１】本発明に係る対撚り型通信ケーブルの構成を示す側面図である。
【図２】本発明に係る対撚り型通信ケーブルの金属箔貼付プラスチックテープの構成を示す平面図である。
【図３】本発明に係る対撚り型通信ケーブルの金属箔貼付プラスチックテープの構成の他の例を示す平面図である。
【図４】本発明に係る対撚り型通信ケーブルの特性インピーダンス周波数特性を示すグラフである。
【図５】従来の対撚り型通信ケーブルの特性インピーダンス周波数特性を示すグラフである。
【図６】従来の遮蔽対撚り型通信ケーブルの構成を示す側面図である。
【符号の説明】
【００３８】
１  絶縁体
２  導線対
３  金属箔貼付プラスチックテープ
４  金属箔
５  接着剤層
６  シース
７  ドレインワイヤ
【図１】
2008300249.tif 000003
【図２】
2008300249.tif 000004
【図３】
2008300249.tif 000005
【図４】
2008300249.tif 000006
【図５】
2008300249.tif 000007
【図６】
2008300249.tif 000008